(57)【要約】【課題】ボタン電池を収納する電子機器において、脱落防止片がなくてもボタン電池が容易に本体から飛び出さず、確実に水平にセットされる構造にするとともに、電池端子接触部が自動的にクリーニングされ接触不安定をなくし、かつ、機器全体の形状の小型化を図る。【解決手段】電池ホルダーに挿入されたボタン電池５は、電池の挿入方向に対して中心から奥側が第１端子７のばね圧により上方向に押し圧されると、電池当接部１６を回動の支点とし、他方が下方向に付勢して電池受け部６にのり、電池ホルダー１２に水平にセットされる。【選択図】  図４
2004152576.tif 000002
【特許請求の範囲】
【請求項１】
扁平型の電池の外形に沿った凹部形状を有する電池ホルダーと、
前記電池ホルダーに収納された電池上面のうち、前記電池ホルダーへの電池の挿入方向に対して、電池の中心から奥側にオフセットした位置で、電池に部分的に当接する電池当接部を有するリブと、
前記電池ホルダーに収納された電池の下面と側面とにそれぞれ電気的に接続し、ばね圧を有して電池を押圧する第１端子と第２端子を有し、
前記第１端子は、前記電池当接部に対向する位置よりもさらに奥側にオフセットした位置で、電池下面に当接していることを特徴とする電子機器。
【請求項２】
前記電池ホルダーの側面と、前記第２端子のばね圧によって、電池の水平方向の位置を規制することを特徴とする請求項１記載の電子機器。
【請求項３】
電池を前記電池ホルダーに斜め方向に挿入して収納する際、前記リブに、電池挿入案内の斜め切り欠き部を設けたことを特徴とする請求項１記載の電子機器。
【請求項４】
電池を前記電池ホルダーに斜め方向に挿入する時と、その後、前記電池当接部を支点とし、電池が下方に回動し前記電池ホルダーに収納される時とにおいて、電池の表面が前記第１端子と第２端子により摺擦することを特徴とする請求項１記載の電子機器。
【請求項５】
前記電池ホルダー側面のうち、電池挿入方向に対して、電池中心より手前の位置において、電池側面が露出するようにその一部を切り欠いたことを特徴とする請求項１記載の電子機器。
【請求項６】
前記電池ホルダーへの電池挿入方向に対して、電池中心より手前の位置において、電池下面に当接する電池受け部を設けたことを特徴とする請求項１記載の電子機器。
【発明の詳細な説明】
【０００１】
【発明の属する技術分野】
本発明は、電子機器のボタン電池の収納構造において、ボタン電池を容易に挿入、取り出しが可能で、かつ電池カバーをはずした時でも充分な保持力を有するとともに、収納構造の省スペース化を可能とした電子機器に関する。
【０００２】
【従来の技術】
従来の電池保持構造をもつ電子機器としては、電池ホルダーに脱落防止片を設け、これと対向する位置にプラスの第２端子とリブを配置しボタン電池を狭持するものがあった。（例えば、特許文献１参照）。図５は、前記特許文献１に記載された従来の電池保持構造をもつ電子機器を示すものである。図５で示す電池ホルダー１２は、電池の下面と側面とにそれぞれ電気的に接続し、ばね圧を有する第１端子１５と第２端子１３を有し、電池ホルダー１２と一体成形されたリブ１０と脱落防止片１４を対向する位置に配置する。
【０００３】
この従来の発明によれば、図６で示すように、電池５をリブ１０の下に潜らせ、矢印Ｈ方向から第２端子１３を押し圧せしめ、その後第２端子１３の矢印Ｊ方向への弾性を利用し脱落防止片１４に引っ掛けて一点鎖線で示した位置に装着される。この時、電池５は、第１端子１５のばね圧により、矢印Ｉ方向に付勢しているので、脱落防止片１４が必要になる。また、取り出す際には、Ｊ方向とは逆に、ボタン電池５を矢印Ｋ方向に押し圧し、第１端子１５のばね圧により、脱落防止片１４を乗り越えると、電池ホルダー１２外へ取り出される。
【０００４】
【特許文献１】
特開平１１−１３５０９４号公報
【０００５】
【発明が解決しようとする課題】
しかしながら、前記従来の構造では、ボタン電池を保持する脱落防止片があるために、電池の挿入の際はその脱落防止片に引っ掛けないと電池が保持されず、また、取り出す際はその脱落防止片を乗り越えないと電池が取り出せず、複雑であるという課題を有していた。本発明は、ボタン電池の保持構造を簡素化し前記ボタン電池の装着、取り出し時の操作性を改善することを目的とする。
【０００６】
【課題を解決するための手段】
前記従来の課題を解決するために、本発明の電子機器では、脱落防止片をなくし、第１端子と、リブの電池当接部と、電池受け部により確実に電池を保持する。電池当接部は、電池ホルダーへの電池の挿入方向に対して、電池の中心から奥側にオフセットした位置で、電池に部分的に当接し、第１端子は、その電池当接部と対向する位置よりもさらに奥側にオフセットした位置で、電池下面に当接している。第１端子は電池下面を上方に押し圧し、電池は電池当接部を回動の支点とし、電池受け部側が必然的に下方に付勢するため、この第１端子のばね圧と電池当接部により電池を狭持し、さらに電池受け部で確実に水平に保持する。また、電池外形に沿った凹部形状と第２端子のばね圧により、電池の水平方向の位置を規制する。本構造によって、脱落防止片がなくても電池が飛び出さず、電池を確実に水平に保持し、電池の挿入、取り出しを容易にすることができる。
【０００７】
【発明の実施の形態】
請求項１に記載の発明は、扁平型の電池の外形に沿った凹部形状を有する電池ホルダーと、前記電池ホルダーに収納された電池上面のうち、前記電池ホルダーへの電池の挿入方向に対して、電池の中心から奥側にオフセットした位置で、電池に部分的に当接する電池当接部を有するリブと、前記電池ホルダーに収納された電池の下面と側面とにそれぞれ電気的に接続し、ばね圧を有して電池を押圧する第１端子と第２端子を有し、前記第１端子は、前記電池当接部に対向する位置よりもさらに奥側にオフセットした位置で、電池下面に当接していることを特徴とするものである。
【０００８】
請求項２に記載の発明は、請求項１記載の電子機器において、前記電池ホルダーの側面と、前記第２端子のばね圧によって、電池の水平方向の位置を規制することを特徴とするものである。
【０００９】
請求項３に記載の発明は、請求項１記載の電子機器において、電池を前記電池ホルダーに斜め方向に挿入して収納する際、前記リブに、電池挿入案内の斜め切り欠き部を設けたことを特徴とするものである。
【００１０】
請求項４に記載の発明は、請求項１記載の電子機器において、電池を前記電池ホルダーに斜め方向に挿入する時と、その後、前記電池当接部を支点とし、電池が下方に回動し前記電池ホルダーに収納される時とにおいて、電池の表面が前記第１端子と第２端子により摺擦することを特徴とするものである。
【００１１】
請求項５に記載の発明は、請求項１記載の電子機器において、前記電池ホルダー側面のうち、電池挿入方向に対して、電池中心より手前の位置において、電池側面が露出するようにその一部を切り欠いたことを特徴とするものである。
【００１２】
請求項６に記載の発明は、請求項１記載の電子機器において、前記電池ホルダーへの電池挿入方向に対して、電池中心より手前の位置において、電池下面に当接する電池受け部を設けたことを特徴とするものである。
【００１３】
（実施の形態１）
以下本発明の実施形態について、図面を参照しながら説明する。
【００１４】
図１（Ａ）は、本発明を適用した電子機器の外観を示す。電子機器は、例えば、使い捨ての血糖値センサなどが装着され、簡便に、血糖値等を測定できるようにしたものである。図１（Ａ）の電子機器は、本体上カバー１と本体下カバー２と電池カバー３から形成される箱体を構成し、電池カバー３は本体上カバー１に脱着自在に操作できる。又、本体上カバー１にはＬＣＤの表示窓４が設けられている。図１（Ｂ）は前記電池カバー３を取り外し、電池ホルダー１２に、ボタン電池５の挿入、取り出しを行う分解斜視図である。電池ホルダー１２は、ボタン電池５の外形に沿った凹部形状をしており、ボタン電池５は図の様に斜め上方から挿入され、挿入後は電池ホルダーに水平にセットされる。ボタン電池５を取り出す際は、電池ホルダー１２の手前側にある切り欠き部１７からボタン電池５をそのまま上方につまみ上げた後、引き抜く。
【００１５】
図２（Ａ）は電池カバー３を取り外したボタン電池５の装着前の一部切欠き平面図である。本体上カバー１にはボタン電池５の受け部６が設けられているがボタン電池５の下面のうち半分を受ける面積となっている。図２（Ｂ）はボタン電池５が挿入され電池ホルダー１２に水平にセットされた状態の一部切欠き平面図である。ボタン電池５の一部は本体上カバー１に潜り込んでおり、ボタン電池５の外形に沿った凹部形状を有する電池ホルダー１２に収納される。電池を潜り込ませるこの構造により電池のための余分な場所を取らず、省スペースを図る効果をもつ。
【００１６】
図３は、電池ホルダー１２の電池挿入口を示したもので、リブ１０にはその一部を切り欠いて、斜面１１を形成している。この斜め切り欠き部１１の案内によりボタン電池５を挿入すると電池の下面が第１端子７に押し圧されながらスムーズに案内される。
【００１７】
図４（Ａ）は、ボタン電池５を保持する構造を具体的に説明するものであり、セットされたボタン電池５の周りを横から見た断面図である。下カバー２にはＰＣＢ９が取り付けられておりこのＰＣＢ９に第１端子７と第２端子８が具備されている。第１端子７は板状であってボタン電池５との接触部は上カバー１の電池当接部１６よりも電池ホルダー１２の奥側に位置している。第１端子７はボタン電池５の下面を垂直方向に上方へ押し圧し、電池５は電池当接部１６を回動の支点とし、電池５の電池受け部６側が必然的に下方に付勢し、電池受け部６に保持される。この第１端子のばね圧と電池当接部により電池を狭持し、さらに電池受け部で確実に水平に保持する。
【００１８】
図４（Ｂ）はボタン電池５が斜め上方から挿入され水平にセットされるのを解りやすく説明した断面図ある。図３で説明した電池挿入口から挿入されたボタン電池５は第１端子７の接触部Ｆを擦りながら矢印Ａ方向に滑っていく。電池ホルダー奥側には第２端子８が具備されておりボタン電池５の陽極と接触する。奥まで挿入されたボタン電池５は、電池の挿入方向に対して中心から奥側が第１端子７のばね圧により矢印Ｂ方向に押し圧されると、電池当接部１６を回動の支点とし、他方が矢印Ｃ方向に付勢して電池受け部６にのり、電池ホルダー１２に水平にセットされる。この時、第２端子８の接触部Ｇは矢印Ｂ方向に必然的に擦られる。したがって、ボタン電池５の挿入、取り出し時に第１端子７の接触部Ｆ及び第２端子の接触部Ｇは自動的にクリーニングされ、錆やゴミの接触不良をおこすことはない。
【００１９】
尚、ボタン電池５の取り出しは、電池ホルダー１２の切欠き部１７からボタン電池５のＥをそのまま上方につまみ上げた後、引き抜く構造となっている。
【００２０】
【発明の効果】
以上のように、本発明の電子機器によれば、電池ホルダーに脱落防止片を形成しなくても、第１端子ばね圧と電池当接部と電池受け部により、確実に電池を保持することができる。また、電池当接部を支点とする電池の回動により、電池は必然的に付勢して電池ホルダーに収納され、取り出しも電池を上方につまみ上げるだけで簡単である。さらに、電池挿入時の電池と端子の摺擦により、電池に付着した異物を除去し、安定した電池接続を得られる。さらに、電池ホルダーを潜るように形成することにより、電池収納構造の省スペース化を図ることが可能となる。
【図面の簡単な説明】
【図１】（Ａ）本発明の実施の形態における電子機器の外観図を示す斜視図
（Ｂ）同電子機器におけるボタン電池の挿入方向を示す分解斜視図
【図２】（Ａ）ボタン電池挿入部を示す一部切欠き平面図
（Ｂ）ボタン電池が収納された状態を示す一部切欠き平面図
【図３】ボタン電池の挿入口を示す一部切欠き斜視図
【図４】（Ａ）ボタン電池装着時の電池ホルダー構造を横断面で示す断面図
（Ｂ）ボタン電池装着時の電池回動を示す横断面図
【図５】従来の電池ホルダー構造の例を示す斜視図
【図６】従来のボタン電池装着方法を示す横断面図
【符号の説明】
１  上カバー
２  下カバー
３  電池カバー
４  表示窓
５  ボタン電池
６  ボタン電池受け部
７、１５  第１端子
８、１３  第２端子
９  ＰＣＢ
１０  リブ
１１  リブの斜め切り欠き部
１２  電池ホルダー
１４  脱落防止片
１６  電池当接部
１７  電池ホルダーの切り欠き部
【図１】
2004152576.tif 000003
【図２】
2004152576.tif 000004
【図３】
2004152576.tif 000005
【図４】
2004152576.tif 000006
【図５】
2004152576.tif 000007
【図６】
2004152576.tif 000008